(57)【要約】【課題】通話の際に生じるディスプレイの顔への接触を防ぎ、常にディスプレイを清潔に保てる携帯電話機を提供する。【解決手段】本体部と、この本体部の前面に配置された表示部と、使用者の音声を入力するマイク部と、通話相手の音声を出力するスピーカー部１と、マイク部およびスピーカー部１の動作を実行させる操作部とを備える携帯電話機において、スピーカー部を本体部の前面方向へスライド自在なスライド部３を設けることにより、ディスプレイ部２の顔への接触を防ぐことができる。また、スピーカー部１の移動に連動する通話スイッチを設けることにより、発信着信の応答・切断を行うことができる。さらに、スピーカー部１のスライド動作に連動してディスプレイ部２の照明のＯＮ／ＯＦＦを行う切り替え手段を備えてもよい。【選択図】      図１
2005020234.tif 000002
【特許請求の範囲】
【請求項１】
本体部と、この本体部の前面に配置された表示部と、使用者の音声を入力するマイク部と、通話相手の音声を出力するスピーカー部と、前記マイク部および前記スピーカー部の動作を実行させる操作部とを備える携帯電話機において、
前記携帯電話機が、前記スピーカー部を含む第１のユニットと、前記表示部，前記マイク部および前記操作部を含む第２のユニットとから成り、かつ前記第１のユニットおよび前記第２のユニットがスライド係合手段により結合してことを特徴とする携帯電話機。
【請求項２】
スライド係合手段は、第２のユニットに対して第１のユニットを前記第２のユニットの表示面に対して垂直方向にスライド可能であることを特徴とする請求項１に記載の携帯電話機。
【請求項３】
スライド係合手段は、第１のユニットのスライド量を一定または任意に設定可能であることを特徴とする請求項２に記載の携帯電話機。
【請求項４】
スライド係合手段によるスライド動作をロックするロック手段を備えることを特徴とする請求項３に記載の携帯電話機。
【請求項５】
第１のユニットのスライド動作に連動して発信・着信の応答および切断を行う第１の切り替え手段を備えることを特徴とする請求項３または４に記載の携帯電話機。
【請求項６】
第１のユニットのスライド動作に連動して表示部の照明のＯＮ／ＯＦＦを行う第２の切り替え手段を備えることを特徴とする請求項３から５のいずれか１項に記載の携帯電話機。
【発明の詳細な説明】
【０００１】
【発明の属する技術分野】
本発明は携帯電話機に関し、特にスピーカー部がスライド式の携帯電話機に関する。
【０００２】
【従来の技術】
従来、この種の携帯電話機は、携帯性、操作性を損なうことなく、液晶表示画面を大きくしてメール、データ等大きな情報量を表示可能とすることによって、使い勝手の良い携帯電話を提供されている。
【０００３】
図３は、従来の一例を示す斜視図であって、図３を参照すると、これは本体左右両端に設けられたガイドレール１３によって上下にスライドするキーパッド１１を備え、通常の音声通話時は、キーパッド１１は閉じた状態で使用される。この状態では、液晶表示部１２の一部のみが露出しており、電界強度表示、電話番号表示等の音声通話に必要な情報が表示される。また、メール等の文字情報を読む際には、キーパッド１１を下方向へスライドさせることによって液晶表示部１２の全画面を露出させることができるというものである（例えば、特許文献１参照）。
【０００４】
また、図４は、別の従来例を示す斜視図であって、図４を参照すると、これはカメラ機能を備えた携帯電話機であって、本体の機能を操作するテンキーなどの操作ボタンを配置した操作面２２を有する第１筐体２１と、この第１筐体２１に摺動可能に装着されて操作面２２を覆う閉塞位置と操作面２２を露出させる開放位置とに摺動するとともに、閉塞位置で第１筐体２１と重なることなく突出する端部にカメラ２４を回転可能に軸支して前方および後方を撮影可能に設けた第２筐体２３とから成り、本体を第１筐体２１および第２筐体２３により形成することで、所定の電子部品を十分に配置できる配置スペースを確保するように設けたものである（例えば、特許文献２参照）。
【０００５】
【特許文献１】
特開２００１−０２４７６２号公報
【特許文献２】
特開２００２−１１１８３５号公報
【０００６】
【発明が解決しようとする課題】
しかしながら、上述したこれら従来の携帯電話機には、スピーカー部とディスプレイ部とがいずれも本体の同一平面上に配置されており、通話する際には殆どの場合、通話者の顔（頬）がディスプレイに接触してしまう。このため、通話終了後にはディスプレイに顔の皮脂や化粧品が付着して汚れ、表示面が不潔になり易いという欠点があった。
【０００７】
本発明の目的は、かかる課題に鑑みてなされたもので、通話時において通話者の顔とディスプレイとの接触を回避し、常にディスプレイを清潔に保つことのできる携帯電話機を提供することにある。
【０００８】
【課題を解決するための手段】
上記目的を達成するため本発明は、本体部と、この本体部の前面に配置された表示部と、使用者の音声を入力するマイク部と、通話相手の音声を出力するスピーカー部と、前記マイク部および前記スピーカー部の動作を実行させる操作部とを備える携帯電話機において、この携帯電話機が前記スピーカー部を含む第１のユニットと、前記表示部，前記マイク部および前記操作部を含む第２のユニットとから成り、かつ前記第１のユニットおよび前記第２のユニットがスライド係合手段により結合してことを特徴とする。
【０００９】
スライド係合手段は、第２のユニットに対して第１のユニットを前記第２のユニットの表示面に対して垂直方向にスライド可能であることを特徴とする。
【００１０】
スライド係合手段は、第１のユニットのスライド量を一定または任意に設定可能であることを特徴とし、スライド係合手段によるスライド動作をロックするロック手段を備えることを特徴とする。
【００１１】
また、第１のユニットのスライド動作に連動して発信・着信の応答および切断を行う第１の切り替え手段を備えてもよく、さらに、第１のユニットのスライド動作に連動して表示部の照明のＯＮ／ＯＦＦを行う第２の切り替え手段を備えてもよい。
【００１２】
このように、本発明は、携帯電話機のスピーカー部をスライドさせることにより、スピーカー部とディスプレイ部を同一平面上から切り離して段差を生じさせることにより、通話時に生じるディスプレイ部への顔（頬）の接触を回避し、表示面への脂汚れ等を防止するものである。
【００１３】
【発明の実施の形態】
次に、本発明について図面を参照して説明する。
図１は、本発明の一実施の形態を示す図であって、図１を参照すると、本発明の携帯電話機は、電話機の外装を形成する本体前面に受話用のスピーカー部１と、時刻・電話番号等のメモリ内容を表示するディスプレイ部２と、キーパッドおよび送話用のマイク等を備えており、これらの構成およびその機能は従来の携帯電話機と同様であるが、さらに、本発明の携帯電話機では、電話機本体の上部に設けられているスピーカー部１が本体から前面にずれて移動可能なスライド部３を備えている。
【００１４】
次に、本実施の形態の動作について図２（ａ）および図２（ｂ）を参照して説明する。
【００１５】
まず、図２（ａ）は、通常時、すなわち着信待ち受け時の状態を示したものであって、スピーカー部１とディスプレイ部２とが同一平面上にあり、いわゆる一般の従来型の携帯電話機にみられる状態である。
【００１６】
続いて、図２（ｂ）は、着信時にスピーカー部１の後部を指で押すことにより、スピーカー部１は本体のスライド部３から押し出された通話時の状態を示したものである。これにより、スピーカー部１の位置がディスプレイ部２よりも前方にスライドしてディスプレイ部２との間に段差が生じる。
【００１７】
従って、通話の際にはディスプレイ部２に通話者の顔（頬）が触れることなく通話することができる。そして、通話が終われば、スピーカー部１の位置を元の位置、すなわち、図２（ａ）に示す状態にすればよい。このスライド量は一定でもよいし、可変にして任意のスライド量に調節可能にしてもよく、また、このスライド動作をロックするロック手段を備えてもよい。
【００１８】
次に、本発明の他の実施の形態について説明する。
【００１９】
本実施例では、上述した本発明の携帯電話機に、例えば、発信着信の応答・切断を行う通話スイッチ（図示せず）を設け、この通話スイッチをスピーカー部１のスライド動作に連動して作動するようにしたものである。これによれば、スピーカー部１を本体部から前方向へスライドさせると“発信着信の応答”を行い、また、スピーカー部１を元の状態に戻すと“発信着信の切断”を行うことができる。
【００２０】
さらに、本発明の携帯電話機に、スピーカー部１のスライド動作に連動してディスプレイ部２の照明のＯＮ／ＯＦＦを行う切り替え手段（図示せず）を備えてもよい。
【００２１】
【発明の効果】
以上説明したように本発明の携帯電話機は、スピーカー部をスライドさせる機能を備えることにより、通話時において通話者の顔（頬）がディスプレイに接触することがなく、ディスプレイの汚れを防げるという効果がある。
【００２２】
また、本発明の携帯電話機は、スライド部に通話スイッチを設け、スピーカー部のスライド動作に連動させることで発信着信の応答・切断を行うこともできる。さらに、スピーカー部のスライド動作に連動してディスプレイ部の照明のＯＮ／ＯＦＦを行うことも可能である。
【図面の簡単な説明】
【図１】本発明の一実施の形態を示す斜視図である。
【図２】図２（ａ）は本実施例の通常時の状態を示す斜視図であり、図２（ｂ）は本実施例の通話時の状態を示す斜視図である。
【図３】従来の一例を示す斜視図である。
【図４】別の従来例を示す斜視図である。
【符号の説明】
１    スピーカー部
２    ディスプレイ部
３    スライド部
１１    キーパッド
１２    液晶表示部
１３    ガイドレール
２１    第１筐体
２２    操作面
２３    第２筐体
２４    カメラ
【図１】
2005020234.tif 000003
【図２】
2005020234.tif 000004
【図３】
2005020234.tif 000005
【図４】
2005020234.tif 000006